(57)【要約】【課題】フィルムの穿孔の際にカップ内の液体の飛散を防ぐことができるスパウトを提供する。【解決手段】液体を収容し開口をフィルムＦで封止されたカップＣに装着されるスパウトＳにおいて、雌螺子部が形成された筒部を有し、カップの縁部に固定される固定部材１１と、雌螺子部に螺合する雄螺子部と、カップ内の液体を導出する導出部と、フィルムＦを破って孔を開ける穿孔部とを備える穿孔部材１２とを備え、カップＣの縁部に固定部材１１を固定し、該固定部材１１の筒部に穿孔部材１２を螺合させることでフィルムＦを穿孔する。【選択図】図１
2013086802.tif 000002
【特許請求の範囲】
【請求項１】
液体を収容し開口をフィルムで封止されたカップに装着されるスパウトにおいて、
雌螺子部が形成された筒部を有し、前記カップの縁部に固定される固定部材と、
前記雌螺子部に螺合する雄螺子部と、前記カップ内の液体を導出する導出部と、前記フィルムを破って孔を開ける穿孔部とを備える穿孔部材とを備え、
前記カップの縁部に前記固定部材を固定し、該固定部材の前記筒部に前記穿孔部材を螺合させることで前記フィルムを穿孔することを特徴とするスパウト。
【請求項２】
前記固定部材は、前記カップの縁部を外側から支持する支持部を備えるとともに、
前記穿孔部材は、前記筒部への螺合が完了した螺合完了位置で、その先端が前記カップの内側に配置され、前記支持部との間に前記カップの縁部を挟んで該スパウトのカップ径方向の移動を規制する請求項１に記載のスパウト。
【請求項３】
前記固定部材は、前記カップの縁部を上下から挟む壁部を備える請求項１又は２に記載のスパウト。
【請求項４】
前記穿孔部材は、
前記筒部への螺合が完了した螺合完了位置で、該穿孔部材のカップ深さ方向への移動を規制する規制部をさらに備えた請求項１〜３のいずれか１項に記載のスパウト。
【請求項５】
前記穿孔部の刃先は、前記穿孔部材の中心軸上に配置されている請求項１〜４のいずれか１項に記載のスパウト。
【発明の詳細な説明】
【技術分野】
【０００１】
この発明は、液体を収容したカップ内の開口を封止したフィルムを穿孔するとともにカップに固定されて飲み口として使用されるスパウトに関する。
【背景技術】
【０００２】
従来より、飲料を収容したカップの開口に、フィルムを固着して、飲料を気密状態に封止した製品が製造及び販売されている。この種のカップは、収容した飲料が冷却された状態で販売されており、カップ内の飲料を飲む際には、フィルムにストローを突き刺し、ストローを介して飲料を吸引する。
【０００３】
一方、カップに入れられた温かい飲料を飲む場合には、ストローを介した吸引量を制御しにくい等の理由から、ストローの使用は適さない。このため、温かい飲料を上記構成のカップに封入した場合にも好適に使用できるスパウト構造が要請されていた。
【０００４】
例えば特許文献１には、フィルム（密封シート）を押し切るスパウト構造を備えたオーバーキャップ付き容器が記載されている。このオーバーキャップは、フィルムの外側を覆うようにカップに装着されるものであって、容器本体の口部を全面にわたって覆い隠す天面壁を備える。また、この天面壁には、注出筒体が、ヒンジを介して揺動可能に保持されている。注出筒体は、ヒンジを起点とする引き起こしによって、天面壁に形成された貫通開口からその下方に挿入され、天面壁の下方に配置されたフィルムを押し切る。
【先行技術文献】
【特許文献】
【０００５】
【特許文献１】特開２００９−１７９３４８号公報
【発明の概要】
【発明が解決しようとする課題】
【０００６】
しかし、上述したスパウト構造は、例えばワンタッチでフィルムを切り開くタイプのものではないものの、注出筒体に印加する力の大きさを制御しにくく、注出筒体を勢いよくフィルム側に押し込んだ場合には、カップ内の液体が飛散する可能性が未だあった。例えば、スパウトによってフィルムを穿孔する際、穿孔が開始される時に最も大きい力を要するが、穿孔開始直後は、穿孔開始時に要した力がそのまま注出筒体に印加されるため、注出筒体が勢いよくカップ内側に挿入され、液体が周囲に飛散する虞がある。従って、穿孔の際に、カップ内の液体をより飛散させにくいスパウトが要請されていた。
【０００７】
本発明は、上記問題点に鑑みてなされたものであり、その目的は、フィルムの穿孔の際にカップ内の液体の飛散を防ぐことができるスパウトを提供することにある。
【課題を解決するための手段】
【０００８】
上記問題点を解決するために、請求項１に記載の発明は、液体を収容し開口をフィルムで封止されたカップに装着されるスパウトにおいて、雌螺子部が形成された筒部を有し、前記カップの縁部に固定される固定部材と、前記雌螺子部に螺合する雄螺子部と、前記カップ内の液体を導出する導出部と、前記フィルムを破って孔を開ける穿孔部とを備える穿孔部材とを備え、前記カップの縁部に前記固定部材を固定し、該固定部材の前記筒部に前記穿孔部材を螺合させることで前記フィルムを穿孔することを要旨とする。
【０００９】
請求項１に記載の発明によれば、スパウトは、カップの縁部に固定される固定部材と、飲料を導出する導出部を有しフィルムに孔を開ける穿孔部材とを備えるので、穿孔部材を固定部材に装着したまま、穿孔部材の導出部からカップ内の飲料を飲むことができる。また、フィルムに孔を開ける際には、穿孔部材を固定部材の筒部に螺合させることで穿孔刃を徐々に下降させるため、フィルムは伸ばされながら穿孔される。このため、穿孔部材が勢いよくフィルムに差し込まれることで、フィルムが大きく裂けることがない。従って、穿孔時にカップ内の液体が周囲に飛散したり、漏れたりすることを防ぐことができる。
【００１０】
請求項２に記載の発明は、請求項１に記載のスパウトにおいて、前記固定部材は、前記カップの縁部を外側から支持する支持部を備えるとともに、前記穿孔部材は、前記筒部への螺合が完了した螺合完了位置で、その先端が前記カップの内側に配置され、前記支持部との間に前記カップの縁部を挟んで該スパウトのカップ径方向の移動を規制することを要旨とする。
【００１１】
請求項２に記載の発明によれば、固定部材に装着された穿孔部材の先端と支持部との間にカップの縁部が挟まれるので、スパウトのカップ径方向の移動が規制される。従って、スパウトに口をつけて飲む際にも、スパウトが傾いたり、ずれたりせず、安定した姿勢を保持することができるので、カップから飲料を飲みやすくすることができる。
【００１２】
請求項３に記載の発明は、請求項１又は２に記載のスパウトにおいて、前記固定部材は、前記カップの縁部を上下から挟む壁部を備えることを要旨とする。
請求項３に記載の発明によれば、壁部により、カップの縁部が上下から挟まれるので、スパウトのカップの上下方向に沿った移動を規制することができる。このため、スパウトの姿勢を安定させることができるとともに、スパウトがカップに深く差し込まれることによる液体の飛散を抑制することができる。
【００１３】
請求項４に記載の発明は、請求項１〜３のいずれか１項に記載のスパウトにおいて、前記穿孔部材は、前記筒部への螺合が完了した螺合完了位置で、該穿孔部材のカップ深さ方向への移動を規制する規制部をさらに備えたことを要旨とする。
【００１４】
請求項４に記載の発明によれば、螺合完了位置で、規制部により、穿孔部材のさらなる移動が規制されるため、スパウトが、装着されるべき位置よりも深くカップ内に差し込まれることによる飲料の飛散を防ぐことができる。
【００１５】
請求項５に記載の発明は、請求項１〜４のいずれか１項に記載のスパウトにおいて、前記穿孔部の刃先は、前記穿孔部材の中心軸上に配置されていることを要旨とする。
請求項５に記載の発明によれば、穿孔刃の刃先は、穿孔部材の中心軸上に配置されているので、穿孔部材を回転させて筒部に螺合することによって、刃先が、フィルムの一定位置を集中的に押圧して、その位置に孔を形成することができる。
【図面の簡単な説明】
【００１６】
【図１】本発明を具体化した一実施形態のスパウトであって、カップに固定された状態を示す斜視図。
【図２】同スパウトの分解斜視図。
【図３】同スパウトを構成する固定部材を下面からみた斜視図。
【図４】同スパウトを構成する穿孔部材であって、（ａ）は穿孔部材の側面図、（ｂ）は穿孔部材の下面図。
【図５】同固定部材をカップに装着する際の装着開始状態を示す、図２中Ａ−Ａ線における断面図。
【図６】同固定部材をカップに装着した状態を示す断面図。
【図７】同固定部材に同穿孔部材を螺合開始する状態を示す断面図。
【図８】同固定部材に同穿孔部材を螺合した螺合完了状態を示す断面図。
【図９】スパウトが装着されたカップを傾けた状態を示す断面図。
【発明を実施するための形態】
【００１７】
以下、本発明のスパウトを具体化した一実施形態を図１〜図９にしたがって説明する。
図１に示すように、本実施形態のスパウトＳは、飲料を収容したカップＣに対して装着され、カップＣを傾けて飲料を啜るために使用されるものである。カップＣは、飲料を収容したカップ本体Ｂと、カップ本体Ｂの上部開口を、ポリエチレンテレフタレート（ＰＥＴ）等の切り裂き可能なフィルムＦで封止した構成である。カップ本体Ｂは、その開口部に、外側に向かって突き出したカップ鍔部Ｃ１を有している。カップ鍔部Ｃ１の上面は、数ｍｍの幅を有し、フィルムＦの周縁は、このカップ鍔部Ｃ１の上面に対し熱溶着又は接着剤により固着されることで、カップＣに張設されている。このスパウトＳは、飲料を飲む前にフィルムＦの一部に固定され、使用後はカップＣから取り外すことができる。尚、スパウトＳがカップＣに装着された際に、カップＣの径方向内側を向く面を正面、径方向外側の面を背面とし、フィルムＦの上面側となる面を平面、カップ底面側を向く面を下面とする。
【００１８】
スパウトＳは、カップＣの縁部に固定される固定部材１１と、固定部材１１に装着され、フィルムＦを破いて孔を開ける穿孔部材１２とを備えている。これらの部材は、ポリプロピレン（ＰＰ）、ポリエチレンテレフタレート（ＰＥＴ）、ポリエチレン（ＰＥ）等の樹脂からなり、射出成形等によりそれぞれ成形されている。
【００１９】
まず、固定部材１１について説明する。図２に示すように、固定部材１１は、カップ鍔部Ｃ１をスライド挿入するための支持部１５と、その内側面に雌螺子部１８が形成された筒部１７とを備えている。
【００２０】
支持部１５は、平面視において湾曲した細長状をなし、その外周面は、カップ鍔部Ｃ１の形状に合わせた湾曲形状に形成されている。この支持部１５は、固定部材１１がカップＣに対して固定された固定位置でフィルムＦの上方に配置される上壁部１５ａと、カップ鍔部Ｃ１の下方に配置される下壁部１５ｂと、カップ鍔部Ｃ１の外側に配置される側壁部１５ｃとを有し、断面略コの字状に形成されている。
【００２１】
上壁部１５ａは、固定位置において、フィルムＦの周縁部のうち一部を覆うような大きさ及び形状に形成されている。側壁部１５ｃは、上壁部１５ａに対して垂直な方向に延び、その中央には、開口１６が形成されている。また、図３に示すように、下壁部１５ｂのうち、背面側の形状は、上壁部１５ａとほぼ同じであるが、その幅は、上壁部１５ａよりも短く形成されている。これらの上壁部１５ａ、下壁部１５ｂ及び側壁部１５ｃにより、カップ鍔部Ｃ１を挿入可能な溝部１５ｄが構成される。上壁部１５ａから下壁部１５ｂまでの相対距離、即ち溝部１５ｄの高さは、フィルムＦの厚さ及びカップ鍔部Ｃ１の厚さの和と同一か、若干大きく形成されている。
【００２２】
また、図２に示すように、固定部材１１の上壁部１５ａには、筒部１７が上方に向かって突出形成されている。筒部１７は、その上端に上部開口１７ａを有するとともに、上壁部１５ａの下面で開口した下部開口１７ｂ（図３参照）を有している。さらに、筒部１７の内側面には、雌螺子部１８が形成されている。
【００２３】
次に、穿孔部材１２について説明する。図２に示すように、穿孔部材１２は、胴部２１と、胴部２１の上端から連続して形成された導出部２０と、胴部２１の下端から連続して形成された穿孔刃２３とを備えている。
【００２４】
胴部２１は、略有底筒状をなし、図４（ａ）に示すように、その外側面の上側から下側に向かって、雌螺子部１８に螺合可能な雄螺子部２２が形成されている。また、図４（ｂ）に示すように、胴部２１の底壁部には、カップ内の液体を、胴部内に導入する導入孔２４が貫通形成されている。
【００２５】
図４（ａ）に示すように、導出部２０は、略円環状に形成されており、筒部１７に嵌合される嵌合部２０ａと、嵌合部２０ａよりも外側に張り出した大径部２０ｂとを備えている。嵌合部２０ａの外径は、筒部１７の先端部の内径よりも若干大きくなっている。
【００２６】
また、穿孔刃２３は、胴部２１の下端に連続して形成された、規制部としての基端部２３ａと、基端部２３ａから穿孔部材１２の中心軸Ｘ１に向かって斜め下方に延出された梁部２３ｂとを有している。基端部２３ａは、筒状に形成されている。また、図４（ｂ）に示すように、梁部２３ｂは、その先端が穿孔部材１２の中心軸Ｘ１（図４（ａ）参照）上に集中するように形成されている。このため、図４（ｂ）に示すように、穿孔刃２３は、下面からみて放射状をなすとともに、図４（ａ）に示すように側面からみて、先端が中心軸Ｘ１上に配置された略三角形状をなす。
【００２７】
この穿孔部材１２には、穿孔刃２３から胴部２１を介して導出部２０に至るまで、液体が通過可能な流路が連通している。即ち、カップ内の液体は、各梁部２３ｂの間から導入され、基端部２３ａの内側を通過し、導入孔２４を介して胴部２１内に導入される。さらに胴部２１に導入された液体は、胴部２１内を通過して、導出部２０から導出される。
【００２８】
このように、スパウトＳは、フィルムＦ全域を覆うような容器一体型の蓋部ではなく、カップＣとは独立したアタッチメントとして機能するので、小型化することができる。このため、スパウトＳに使用される樹脂量を減らすことができるので、コストを低減することができる。
【００２９】
次に本実施形態のスパウトＳの作用について図５〜図９に従って説明する。まず図５に示すように、固定部材１１とフィルムＦとを平行とし、側壁部１５ｃが形成されていない正面側を、カップ鍔部Ｃ１側に向ける。そして、固定部材１１を、上壁部１５ａをフィルムＦの上面に滑らせるように、カップ鍔部Ｃ１に対し図中矢印方向にスライド挿入する。
【００３０】
図６に示すように、カップ鍔部Ｃ１が、固定部材１１の側壁部１５ｃに度当てされるまで固定部材１１をカップＣに対してスライドさせると、カップ鍔部Ｃ１の上下面が、上壁部１５ａ及び下壁部１５ｂによって挟まれた状態となる。その結果、固定部材１１のカップＣの高さ方向に沿った上下方向の移動が、上壁部１５ａ及び下壁部１５ｂによって規制される。また、この位置では、筒部１７は、フィルムＦの上方に配置される。
【００３１】
固定部材１１をカップＣに装着すると、図７に示すように、穿孔部材１２を、穿孔刃２３を下方に向け、且つ導出部２０を上方に向けた姿勢で、回転させつつ筒部１７に押し込む。すると、穿孔部材１２の雄螺子部２２と、筒部１７の雌螺子部１８との螺合が開始される。このとき穿孔刃２３の刃先は、フィルムＦに当接し、フィルム上の１点に押圧力が集中して加わるので、穿孔が開始されやすい。また、穿孔部材１２を雄螺子部２２と雌螺子部１８との螺合により支持することができるので、安定した姿勢を保持しながら穿孔を行うことができる。
【００３２】
また、穿孔部材１２は、雌螺子部１８を構成する突条のピッチに従って回転しながら下降するので、穿孔部材１２が固定部材１１に対して急に押し込まれることはない。このため、穿孔刃２３は徐々にフィルム下方に差し込まれていく。すると、フィルムＦは、穿孔刃２３の差込みに伴い穿孔刃２３に密着しながら伸び、限界まで引き伸ばされた箇所から徐々に破れ始める。このため、フィルムＦと穿孔刃２３との間に大きな隙間が形成されにくい。従って、穿孔の際に、カップ内の飲料が周囲に飛び散ることがなく、飲料が漏れにくくなる。一方、穿孔部材１２がフィルムＦに対して勢いよく差し込まれることが許容されるような構成である場合には、穿孔部材１２の差込みに伴いフィルムＦが大きく裂ける。従ってこの場合には、フィルムＦの裂けと穿孔部材１２との隙間から飲料が周囲に飛散したり漏れたりする虞がある。
【００３３】
さらに穿孔部材１２を回転させて、嵌合部２０ａの一部が筒部１７に挿入されると、穿孔部材１２が螺合完了位置に配置される。この位置では、嵌合部２０ａは筒部１７に対して、しまり嵌めとなるように固定され、嵌合部２０ａと筒部１７との間のシール性が確保される。その結果、穿孔部材１２のカップ深さ方向へのさらなる下降が規制されるので、穿孔部材１２の押し込み過ぎによる、カップ内の飲料の飛散を防ぐことができる。また、穿孔部材１２が固定部材１１に螺合されることにより、固定部材１１をフィルムＦ及びカップ鍔部Ｃ１の上面に対して押し付けるような力が加わるため、固定部材１１は容易にはカップ周方向に移動しない。
【００３４】
また、穿孔刃２３は、梁部２３ｂの部分がフィルム下方に差し込まれ、フィルムＦに円形状の孔を形成する。さらに穿孔刃２３のうちフィルム下方に差し込まれた部分と、固定部材１１の側壁部１５ｃとにより、カップ鍔部Ｃ１が挟まれた状態となるため、スパウトＳをカップ径方向内側に移動させようとすると、固定部材１１の側壁部１５ｃがカップ鍔部Ｃ１の外側に当接して、その移動を規制する。また、スパウトＳをカップ径方向外側に移動させようとすると、穿孔刃２３がカップ内側面に当接して、その移動を規制する。
【００３５】
このように、螺合完了位置でのスパウトＳは、カップ径方向、及びカップ周方向及びカップＣの高さ方向及び深さ方向といった各方向への移動が規制されるので、カップ内の飲料を飲む際にも、スパウトＳが傾いたり、ぐらついたりせず、安定した姿勢を保持することができるので、飲料が飲みやすくなる。
【００３６】
スパウトＳが装着されたカップ内の飲料を飲む際には、図９に示すように、スパウト側にカップＣを傾ける。すると、カップ内の飲料Ｌが、穿孔刃２３の梁部２３ｂの間から、導入孔２４を通過し、胴部２１に流入する。さらに、胴部２１に流入した飲料は、導出部２０側に導出されるので、導出部２０に口をつけて導出された飲料を飲むことができる。
【００３７】
また、スパウトＳをカップＣから外すときには、穿孔部材１２を、装着時とは逆方向に回転させて固定部材１１から取り外し、固定部材１１を、カップ鍔部Ｃ１から引き抜く。
従って、上記実施形態によれば、以下の効果を得ることができる。
【００３８】
（１）上記実施形態では、スパウトＳは、カップ鍔部Ｃ１に固定される固定部材１１と、飲料を導出する導出部２０を有しフィルムＦに孔を開ける穿孔部材１２とを備えるので、穿孔部材１２を固定部材１１に装着したまま、導出部２０を介してカップ内の飲料を飲むことができる。また、フィルムＦに孔を開ける際には、穿孔部材１２を固定部材１１に螺合させることで徐々に下降させるため、フィルムＦは穿孔部材１２に密着しつつ引き伸ばされて穿孔される。このため、穿孔部材１２が勢いよくフィルムＦに差し込まれることで、フィルムＦが大きく裂けることがない。従って、穿孔時に、カップ内の飲料が周囲に飛び散ることを防ぐことができる。また、フィルムＦを穿孔部材１２に密着させながら穿孔することで、フィルムＦと穿孔部材１２との間に大きな隙間が発生しにくいため、フィルムＦと穿孔部材１２との隙間を介した飲料の漏れを抑制することができる。
【００３９】
（２）上記実施形態では、固定部材１１に装着された穿孔部材１２の先端と側壁部１５ｃとの間にカップ鍔部Ｃ１が挟まれるので、スパウトＳのカップ径方向の移動が規制される。従って、スパウトＳに口をつけて飲む際にも、スパウトＳが傾いたり、ずれたりせず、安定した姿勢を保持することができるので、カップ内の飲料を飲みやすくすることができる。
【００４０】
（３）上記実施形態では、固定部材１１は、カップＣの縁部を上下から挟む上壁部１５ａ及び下壁部１５ｂを備えるので、スパウトＳが上下に動かず、その姿勢を安定させることができる。また、スパウトＳがカップＣに深く押し込まれることを防ぐことができるので、飲料の飛散を防ぐことができる。
【００４１】
（４）上記実施形態では、螺合完了位置で、筒部１７に穿孔部材１２の嵌合部２０ａが嵌合されて、穿孔部材１２のさらなる下降が規制される。このため、穿孔部材１２がさらに深くカップ内に差し込まれることによる飲料の飛散を防ぐことができる。
【００４２】
（５）上記実施形態では、穿孔刃２３の刃先は、穿孔部材１２の中心軸上に配置されているので、穿孔部材１２を回転させて筒部１７に螺合することによって、刃先が、フィルムの一定位置を集中して押圧することができる。このため、比較的容易に、フィルムＦの穿孔を開始することができる。
【００４３】
尚、上記実施形態は以下のように変更してもよい。
・固定部材１１の支持部１５の形状は、カップ開口の半分を覆う半月状でもよい。
・上記実施形態では、穿孔部材１２は回転しながらフィルムＦを穿孔するようにしたが、穿孔部材１２の一部が筒部１７に挿入されることによって小さな孔を形成した後、穿孔部材１２の雄螺子部２２と固定部材１１の雌螺子部１８との螺合を開始するようにしてもよい。この場合であっても、穿孔部材１２を筒部１７により支持しつつ、安定した姿勢にして穿孔することができるとともに、穿孔部材１２を、雌螺子部１８のピッチに従って徐々に下降させることができる。
【００４４】
・固定部材１１の上壁部１５ａ及び下壁部１５ｂとの相対距離、即ち溝部１５ｄの高さは、カップ鍔部Ｃ１の厚さよりも小さくてもよい。この場合、上壁部１５ａ及び下壁部１５ｂが弾性変形して、カップ鍔部Ｃ１をその上面及び下面から挟持する。
【００４５】
・上記実施形態では、穿孔部材１２のカップ深さ方向への移動を規制する規制部を、筒部１７に対してしまり嵌めとされる嵌合部２０ａから構成したが、嵌合部２０ａと大径部２０ｂとの段差面を規制部としてもよい。この場合、その段差面が、筒部１７の上端に当接され、穿孔部材１２の下降を規制する。
【００４６】
・上記実施形態では、カップＣには温かい飲料に限らず、冷たい飲料が封入されていてもよい。また、飲料でなくても、飲用可能な医薬品等の液体でもよい。
【符号の説明】
【００４７】
１１…固定部材、１２…穿孔部材、１５…支持部、１５ａ…上壁部、１５ｂ…下壁部、１６…開口、１７…筒部、１８…雌螺子部、２０…導出部、２２…雄螺子部、２３…穿孔刃、Ｃ…カップ、Ｃ１…カップ鍔部、Ｆ…フィルム、Ｌ…液体としての飲料、Ｓ…スパウト、Ｘ１…中心軸。
【図１】
2013086802.tif 000003
【図２】
2013086802.tif 000004
【図３】
2013086802.tif 000005
【図４】
2013086802.tif 000006
【図５】
2013086802.tif 000007
【図６】
2013086802.tif 000008
【図７】
2013086802.tif 000009
【図８】
2013086802.tif 000010
【図９】
2013086802.tif 000011